(57)【要約】【課題】連続用紙を構成する各ページに形成される画像において、画像の欠けや画像の伸びが目立つことを抑制する。【解決手段】複数の発光素子を主走査方向に配列してなる露光装置２３を備えた画像形成部２０を用いて、搬送方向Ａに沿って搬送される連続用紙Ｓに画像を形成する。連続用紙Ｓは、複数のページを搬送方向Ａに連ねた構成を有しており、露光装置２３は、マーク検出センサ７０による検出結果に基づき、主走査方向の１ラインを単位としてページ毎に露光動作を行う。また、露光装置２３は、１ページ分の画像データに基づく対象ページの露光を行う際、マーク検出センサ７０による検出結果に基づいて推測される対象ページの搬送方向長さに基づいて、１ページ分の画像に対応する露光動作におけるライン周期の調整を実行する。【選択図】図１
2013080051.tif 000002
【特許請求の範囲】
【請求項１】
複数のページを副走査方向に連ねてなる連続用紙を、当該副走査方向に搬送する搬送手段と、
前記搬送手段によって搬送される、前記連続用紙における複数のページを順次検知する検知手段と、
前記検知手段による検知部位を通過し且つ前記搬送手段によって前記副走査方向に搬送される前記連続用紙に対し、当該連続用紙の面に沿い且つ当該副走査方向に交差する主走査方向の１ラインを単位として、順次画像を形成する画像形成手段と、
前記検知手段による検知結果に基づいて、前記画像形成手段における前記主走査方向の１ラインの周期を、前記連続用紙におけるページ毎に調整する調整手段と
を含む画像形成装置。
【請求項２】
前記画像形成手段は、前記連続用紙における複数のページのそれぞれにおいて、前記副走査方向のライン数が同数となるように画像を形成することを特徴とする請求項１記載の画像形成装置。
【請求項３】
前記画像形成手段は、前記調整手段により前記主走査方向の１ラインの周期が調整されたラインに対応する画像を形成する際に、当該ラインの画像形成期間をさらに調整することを特徴とする請求項１記載の画像形成装置。
【請求項４】
前記調整手段は、前記連続用紙の１ページ内において前記主走査方向の複数のラインにて当該主走査方向の１ラインの周期をそれぞれ調整する場合に、前記副走査方向における周期性を有しないように当該複数のラインの位置を設定することを特徴とする請求項１乃至３のいずれか１項記載の画像形成装置。
【請求項５】
前記調整手段は、前記連続用紙における複数のページのそれぞれに形成する画像の内容を前記主走査方向の１ライン毎に解析し、画像形成の対象となる画素の数が少ないラインの周期を調整することを特徴とする請求項１乃至４のいずれか１項記載の画像形成装置。
【請求項６】
複数のページを副走査方向に連ねてなる連続用紙を、当該副走査方向に搬送する搬送手段と、
回転する感光体と、当該感光体を帯電する帯電装置と、当該感光体の回転方向と交差する主走査方向に沿って並べられた複数の発光素子を用いて、当該主走査方向の１ラインを単位として当該感光体を順次露光する露光装置と、当該帯電装置および当該露光装置を用いて当該感光体に形成された静電潜像を現像する現像装置と、当該現像装置を用いて前記感光体に現像された画像を前記副走査方向に搬送される前記連続用紙に転写する転写装置とを有する画像形成手段と、
前記連続用紙における複数のページを構成する各ページが、前記感光体と前記転写手段との対向部を通過する通過期間を取得する取得手段と、
前記取得手段による取得結果に基づいて、前記露光手段における前記主走査方向の１ラインの露光に要する周期を、前記連続用紙におけるページ毎に調整する調整手段と
を含む画像形成装置。
【請求項７】
前記露光手段は、前記連続用紙における複数のページのそれぞれにおいて、前記副走査方向のライン数が同数となるように露光を行うことを特徴とする請求項６記載の画像形成装置。
【発明の詳細な説明】
【技術分野】
【０００１】
本発明は、画像形成装置に関する。
【背景技術】
【０００２】
公報記載の従来技術として、複数ページを連ねてなる連続紙に画像を形成する画像形成装置において、連続紙における各ページに予めレジストマークを形成しておくとともに、連続紙の各ページに画像を形成する場合に、搬送される連続紙から読み取ったレジストマークに基づき、各ページに画像形成を行う際の主走査方向および副走査方向の位置合わせ（位置ずれ補正）を行うようにしたものが存在する（特許文献１参照）。
【先行技術文献】
【特許文献】
【０００３】
【特許文献１】特開２００５−２６６１２１号公報
【発明の概要】
【発明が解決しようとする課題】
【０００４】
本発明は、連続用紙を構成する各ページに形成される画像において、画像の欠けや画像の伸びが目立つことを抑制することを目的とする。
【課題を解決するための手段】
【０００５】
請求項１記載の発明は、複数のページを副走査方向に連ねてなる連続用紙を、当該副走査方向に搬送する搬送手段と、前記搬送手段によって搬送される、前記連続用紙における複数のページを順次検知する検知手段と、前記検知手段による検知部位を通過し且つ前記搬送手段によって前記副走査方向に搬送される前記連続用紙に対し、当該連続用紙の面に沿い且つ当該副走査方向に交差する主走査方向の１ラインを単位として、順次画像を形成する画像形成手段と、前記検知手段による検知結果に基づいて、前記画像形成手段における前記主走査方向の１ラインの周期を、前記連続用紙におけるページ毎に調整する調整手段とを含む画像形成装置である。
請求項２記載の発明は、前記画像形成手段は、前記連続用紙における複数のページのそれぞれにおいて、前記副走査方向のライン数が同数となるように画像を形成することを特徴とする請求項１記載の画像形成装置である。
請求項３記載の発明は、前記画像形成手段は、前記調整手段により前記主走査方向の１ラインの周期が調整されたラインに対応する画像を形成する際に、当該ラインの画像形成期間をさらに調整することを特徴とする請求項１記載の画像形成装置である。
請求項４記載の発明は、前記調整手段は、前記連続用紙の１ページ内において前記主走査方向の複数のラインにて当該主走査方向の１ラインの周期をそれぞれ調整する場合に、前記副走査方向における周期性を有しないように当該複数のラインの位置を設定することを特徴とする請求項１乃至３のいずれか１項記載の画像形成装置である。
請求項５記載の発明は、前記調整手段は、前記連続用紙における複数のページのそれぞれに形成する画像の内容を前記主走査方向の１ライン毎に解析し、画像形成の対象となる画素の数が少ないラインの周期を調整することを特徴とする請求項１乃至４のいずれか１項記載の画像形成装置である。
【０００６】
請求項６記載の発明は、複数のページを副走査方向に連ねてなる連続用紙を、当該副走査方向に搬送する搬送手段と、回転する感光体と、当該感光体を帯電する帯電装置と、当該感光体の回転方向と交差する主走査方向に沿って並べられた複数の発光素子を用いて、当該主走査方向の１ラインを単位として当該感光体を順次露光する露光装置と、当該帯電装置および当該露光装置を用いて当該感光体に形成された静電潜像を現像する現像装置と、当該現像装置を用いて前記感光体に現像された画像を前記副走査方向に搬送される前記連続用紙に転写する転写装置とを有する画像形成手段と、前記連続用紙における複数のページを構成する各ページが、前記感光体と前記転写手段との対向部を通過する通過期間を取得する取得手段と、前記取得手段による取得結果に基づいて、前記露光手段における前記主走査方向の１ラインの露光に要する周期を、前記連続用紙におけるページ毎に調整する調整手段とを含む画像形成装置である。
請求項７記載の発明は、前記露光手段は、前記連続用紙における複数のページのそれぞれにおいて、前記副走査方向のライン数が同数となるように露光を行うことを特徴とする請求項６記載の画像形成装置である。
【発明の効果】
【０００７】
請求項１記載の発明によれば、本構成を有していない場合と比較して、連続用紙を構成する各ページに形成される画像において、画像の欠けや画像の伸びが目立つことを抑制することができる。
請求項２記載の発明によれば、本構成を有していない場合と比較して、連続用紙を構成する各ページに形成される画像において、画像の欠けや画像の伸びが目立つことをさらに抑制することができる。
請求項３記載の発明によれば、本構成を有していない場合と比較して、連続用紙を構成する各ページに形成される画像において、調整が施されたラインの画像を目立ちにくくさせることができる。
請求項４記載の発明によれば、連続用紙を構成する各ページに形成される画像において、調整が施されたラインの画像を目立ちにくくさせることができる。
請求項５記載の発明によれば、連続用紙を構成する各ページに形成される画像において、調整が施されたラインの画像を目立ちにくくさせることができる。
請求項６記載の発明によれば、本構成を有していない場合と比較して、連続用紙を構成する各ページに形成される画像において、画像の欠けや画像の伸びが目立つことを抑制することができる。
請求項７記載の発明によれば、本構成を有していない場合と比較して、連続用紙を構成する各ページに形成される画像において、画像の欠けや画像の伸びが目立つことをさらに抑制することができる。
【図面の簡単な説明】
【０００８】
【図１】本発明の実施の形態が適用される画像形成装置の全体構成の一例を示す図である。
【図２】画像形成部における露光装置の構成の一例を説明するための図である。
【図３】連続用紙の構成の一例を説明するための図である。
【図４】１ページ分の画像データの構成例を説明するための図である。
【図５】実施の形態１における制御部の構成の一例を説明するためのブロック図である。
【図６】設定用テーブル格納部に格納されている設定用テーブルの一例を示す図である。
【図７】画像形成動作における連続用紙の搬送と露光動作との関係を説明するためのタイミングチャートである。
【図８】露光動作におけるライン同期信号および点灯許可信号と感光体ドラム上での露光領域との関係を示す図である。
【図９】画像形成動作に伴って感光体ドラム上に形成される画像の副走査方向長さを説明するための図である。
【図１０】実施の形態１における制御部の構成の一例を説明するためのブロック図である。
【図１１】設定用テーブル格納部に格納されている設定用テーブルの一例を示す図である。
【図１２】ある対象ページにおける出力画像データの一例を示す図である。
【発明を実施するための形態】
【０００９】
以下、添付図面を参照して、本発明の実施の形態について詳細に説明する。
＜実施の形態１＞
図１は本実施の形態が適用される画像形成装置１０の全体構成の一例を示す図である。この画像形成装置１０は、搬送方向Ａに搬送される長尺な連続用紙Ｓにトナー像を形成する機能を有している。また、この画像形成装置１０では、穿孔等が形成されていない所謂ピンレス用紙を、連続用紙Ｓとして用いている。
【００１０】
本実施の形態の画像形成装置１０は、搬送される連続用紙Ｓに画像（トナー像）を形成する画像形成部２０と、画像形成部２０からみて搬送方向Ａの下流側に設けられ、連続用紙Ｓに形成された画像を加熱定着する定着部３０と、定着部３０よりも搬送方向Ａの下流側に設けられ、連続用紙Ｓに搬送力を付与する搬送手段の一例としての搬送部４０と、画像形成部２０よりも搬送方向Ａの上流側に設けられ、画像形成部２０を通過する連続用紙Ｓに対し搬送部４０とともに張力を付与し、且つ、画像形成部２０に対して連続用紙Ｓを送り出す送り出し部５０と、送り出し部５０よりも搬送方向Ａの上流側に設けられ、図示しない給紙装置から送られてくる連続用紙Ｓを送り出し部５０に向けて供給する供給部６０と、これら各部の動作を制御する制御部８０とを備えている。また、画像形成装置１０において、連続用紙Ｓの搬送経路中には、連続用紙Ｓを搬送するための複数の搬送ロールが設けられている。なお、以下の説明においては、連続用紙Ｓのうち、画像形成部２０によって画像形成が行われる面を第１面と呼び、その裏面を第２面と呼ぶ。
【００１１】
また、本実施の形態の画像形成装置１０は、送り出し部５０よりも搬送方向Ａの下流側且つ画像形成部２０よりも搬送方向Ａの上流側であって、搬送される連続用紙Ｓの第１面と対向する部位に設けられ、連続用紙Ｓの第１面に形成されたレジストマーク（詳細は後述する）を検出するマーク検出センサ７０をさらに備えている。検知手段あるいは取得手段の一例としてのマーク検出センサ７０は、例えばレーザを光源とする反射型の光センサにて構成されている。
【００１２】
本実施の形態において、画像形成手段の一例としての画像形成部２０は、図中矢印Ｂ方向に回転する感光体ドラム２１と、感光体ドラム２１を帯電する帯電装置２２と、帯電装置２２よりも感光体ドラム２１の回転方向下流側において帯電後の感光体ドラム２１を露光する露光装置２３と、露光装置２３よりも感光体ドラム２１の回転方向下流側において露光後の感光体ドラム２１をトナーで現像する現像装置２４と、現像装置２４よりも感光体ドラム２１の回転方向下流側において感光体ドラム２１上に形成されたトナー像を連続用紙Ｓの第１面に転写する転写装置２５と、転写装置２５よりも感光体ドラム２１の回転方向下流側且つ帯電装置２２よりも感光体ドラム２１の回転方向上流側において転写後の感光体ドラム２１を清掃するクリーナ２６とを備えている。なお、以下の説明においては、画像形成部２０において感光体ドラム２１と転写装置２５とが対向する部位（連続用紙Ｓが通過する部位）を、転写位置Ｔｒと称する。ここで、転写位置Ｔｒにおいては、連続用紙Ｓの搬送方向Ａと感光体ドラム２１の回転方向Ｂとが、同じ向きとなる。また、転写位置Ｔｒを通過する連続用紙Ｓにおいて、感光体ドラム２１と対向する側が第１面となり、転写装置２５と対向する側が第２面となる。
【００１３】
図２は、画像形成部２０における露光装置２３の構成の一例を説明するための図である。本実施の形態で用いた露光装置２３は、ＬＥＤ（Light Emitting Diode）からなる発光素子を複数備えたＬＰＨ（LED Print Head）で構成されている。
この露光装置２３は、複数の発光素子を搭載した発光ユニット２３０と、発光ユニット２３０から出力される光を感光体ドラム２１（図１参照）の表面に結像させるためのレンズユニット（図示せず）とを備えている。また、発光ユニット２３０は、感光体ドラム２１の回転方向Ｂ（図１参照）に対応する副走査方向ＳＳと直交する主走査方向ＦＳに沿って延びる基板２３１と、基板２３１における一方の面上に主走査方向ＦＳに沿って設けられる発光素子列２３２とを有している。さらに、この例では、発光素子列２３２が、主走査方向ＦＳに沿って並べられたｎ個の発光素子Ｅ１〜Ｅｎによって構成されている。そして、この例では、発光素子列２３２において、主走査方向ＦＳに隣接する発光素子同士の間隔が、それぞれ約４２．３μｍに設定されている。このため、本実施の形態の画像形成装置１０における主走査方向ＦＳの解像度（主走査方向解像度）は、６００ｄｐｉ（dot per inch）となっている。なお、この画像形成装置１０における副走査方向ＳＳの解像度（副走査方向解像度）は、感光体ドラム２１の回転速度と露光装置２３による露光周期との関係に応じて、種々変更することが可能であるが、この例では、例えば６００ｄｐｉに設定されている。
【００１４】
図３は、連続用紙Ｓの構成の一例を説明するための図である。なお、図３は、画像形成部２０による画像形成が行われる前であって、画像形成の対象となる第１面側から連続用紙Ｓを見たときの状態を示している。
本実施の形態の連続用紙Ｓは、画像形成後に切断されることを前提とした構成を有しており、１枚の連続用紙Ｓは、副走査方向ＳＳに連なる複数のページを含んでいる。ここで、図３は、複数のページを有する連続用紙Ｓのうち、ｉ番目のページＰｉ、ｉ番目のページＰｉに続くｊ番目のページＰｊ、そしてｊ番目のページＰｊに続くｋ番目のページＰｋを例示している。なお、本実施の形態では、画像形成部２０における副走査方向ＳＳが連続用紙Ｓの搬送方向Ａに対応しており、画像形成部２０における主走査方向ＦＳが連続用紙Ｓの搬送方向Ａと交差する幅方向に対応している。
【００１５】
連続用紙Ｓを構成する各ページにおいて、搬送方向Ａからみて下流側となる部位には、レジストマークＭが形成されている。なお、図中に一点鎖線で示したように、画像形成装置１０に設けられるマーク検出センサ７０は、連続用紙Ｓに形成されたレジストマークＭが読み取れる位置に取り付けられている。
【００１６】
また、連続用紙Ｓを構成する各ページには、予め印刷機等によってフォームが印刷されている。なお、図３に示す例において、フォームは、「ＡＢＣ」で例示されたテキスト画像や、罫線によって構成された枠画像等を含んでいる。
【００１７】
なお、以下の説明においては、連続用紙Ｓにおける各ページの副走査方向長さをページ長Ｌｐと呼び、また、連続用紙Ｓの各ページにおける画像形成対象領域の副走査方向長さを画像長Ｌｇと呼ぶことにする。ここで、ページ長Ｌｐは、副走査方向ＳＳにおいて隣接する２つのレジストマークＭの副走査方向距離に相当する。また、画像形成対象領域は、画像形成部２０を用いた画像の形成が行われ得る領域をいい、この例では、各ページにおける副走査方向ＳＳの両端側が画像形成対象領域から外れている。
【００１８】
図４は、連続用紙Ｓの各ページに形成される画像の元となる、１ページ分の画像データの構成例を説明するための図である。
図４に示すように、１ページ分の画像データは、副走査方向ＳＳに沿うｍ行および主走査方向ＦＳに沿うｎ列の、合計ｍ×ｎ個の画素データを有している。以下の説明では、副走査方向ＳＳに沿うｍ行を、それぞれ、１行目ｘ１、２行目ｘ２、…、ｍ行目ｘｍと呼び、主走査方向ＦＳに沿うｎ列を、それぞれ、１列目ｙ１、２列目ｙ２、…、ｎ列目ｙｎと呼ぶことにする。また、以下の説明では、例えば１行目ｘ１且つ１列目ｙ１の番地に存在するデータを画素データＤ（１，１）と表現し、また、ｍ行目ｘｍ且つｎ列目ｙｎの番地に存在するデータを画素データＤ（ｍ，ｎ）と表現することにする。なお、主走査方向ＦＳに沿って並ぶ１列目ｙ１〜ｎ列目ｙｎは、露光装置２３を構成するｎ個の発光素子Ｅ１〜Ｅｎに、それぞれ対応している。
【００１９】
続いて、図１〜図４を参照しつつ、本実施の形態の画像形成装置１０による画像形成動作について説明する。
画像形成動作の開始に伴い、連続用紙Ｓは、搬送部４０および送り出し部５０によって張力がかけられた状態で、搬送方向Ａに搬送される。これに伴い、連続用紙Ｓは、画像形成部２０の転写位置Ｔｒを通過していく。
【００２０】
一方、画像形成動作の開始に伴い、画像形成部２０では、感光体ドラム２１が矢印Ａ方向に回転し、その表面が帯電装置２２で帯電された後、露光装置２３で選択的に露光されることにより、感光体ドラム２１上に静電潜像が形成される。そして、感光体ドラム２１上に形成された静電潜像は現像装置２４で現像されてトナー像となり、転写位置Ｔｒを通過する連続用紙Ｓの第１面に転写装置２５によって静電転写される。なお、転写後に感光体ドラム２１に残存する残トナーは、クリーナ２６によって除去され、次の帯電動作に備える。
【００２１】
そして、トナー像が転写された連続用紙Ｓは、定着部３０を通過する。このとき、連続用紙Ｓの第１面上のトナー像は、対向するフラッシュランプ（図示せず）により加熱され、連続用紙Ｓに定着される。その後、トナー像の定着がなされた連続用紙Ｓは、搬送部４０を通過し画像形成装置１０の外部へと排出される。
【００２２】
また、画像形成動作を行っている間、マーク検出センサ７０は、搬送方向Ａに搬送される連続用紙Ｓの各ページに形成されたレジストマークＭの検出を行っており、制御部８０は、マーク検出センサ７０によるレジストマークＭの検出結果に基づき、露光装置２３による露光動作を制御している。より具体的に説明すると、制御部８０は、マーク検出センサ７０により検出されたレジストマークＭを有するページ（例えばｉ番目のページＰｉ）が転写位置Ｔｒを通過する間に、ｉ番目のページＰｉに転写すべき感光体ドラム２１上のトナー像が転写位置Ｔｒを通過し、且つ、ｉ番目のページＰｉに形成されたフォームとｉ番目のページＰｉに転写される画像との間でずれ（主走査方向ＦＳに対するずれおよび副走査方向ＳＳに対するずれ）が生じないように、露光装置２３による露光動作の制御を行う。
【００２３】
そして、上述した画像形成動作において、露光装置２３では、回転方向Ｂに回転する感光体ドラム２１に対し、次のようにして１ページ（例えばｉ番目のページＰｉ）分の露光を行う。
まず、発光素子列２３２を構成するｎ個の発光素子Ｅ１〜Ｅｎに対し、１行目ｘ１に対応する画素データＤ（１，１）〜Ｄ（１，ｎ）が並列に供給される。このとき、例えば発光素子Ｅ１には１列目ｙ１の画素データＤ（１，１）が供給され、例えば発光素子Ｅｎにはｎ列目ｙｎの画素データＤ（１，ｎ）が供給される。これにより、発光素子列２３２を構成する発光素子Ｅ１〜Ｅｎは、それぞれに供給される画素データに応じて点灯あるいは非点灯に設定される。その結果、感光体ドラム２１上では、主走査方向ＦＳに沿う１ライン目の露光がなされる。
【００２４】
続いて、発光素子列２３２を構成するｎ個の発光素子Ｅ１〜Ｅｎに対し、２行目ｘ２に対応する画素データＤ（２，１）〜Ｄ（２，ｎ）が並列に供給される。このとき、例えば発光素子Ｅ１には１列目ｙ１の画素データＤ（２，１）が供給され、例えば発光素子Ｅｎにはｎ列目ｙｎの画素データＤ（２，ｎ）が供給される。これにより、発光素子列２３２を構成する発光素子Ｅ１〜Ｅｎは、それぞれに供給される画素データに応じて点灯あるいは非点灯に設定される。ここで、感光体ドラム２１は回転方向Ｂに沿って回転していることから、感光体ドラム２１上では、主走査方向ＦＳに沿い且つ上記１ライン目に対し副走査方向ＳＳに隣接する２ライン目の露光がなされる。
【００２５】
以降、発光素子列２３２を構成するｎ個の発光素子Ｅ１〜Ｅｎに対し、３行目ｘ３〜ｍ−１行目ｘｍ−１に対応する画素データの供給が順次行われ、感光体ドラム２１上には、上記１ライン目および上記２ライン目に対し、それぞれが主走査方向ＦＳに沿い且つ互いに副走査方向ＳＳに隣接する３ライン目〜ｍ−１ライン目の露光がなされる。
【００２６】
そして、発光素子列２３２を構成するｎ個の発光素子Ｅ１〜Ｅｎに対し、ｍ行目ｘｍに対応する画素データＤ（ｍ，１）〜Ｄ（ｍ，ｎ）が並列に供給される。このとき、例えば発光素子Ｅ１には１列目ｙ１の画素データＤ（ｍ，１）が供給され、例えば発光素子Ｅｎにはｎ列目ｙｎの画素データＤ（ｍ，ｎ）が供給される。これにより、発光素子列２３２を構成する発光素子Ｅ１〜Ｅｎは、それぞれに供給される画素データに応じて点灯あるいは非点灯に設定される。ここで、感光体ドラム２１は回転方向Ｂに沿って回転していることから、感光体ドラム２１上では、主走査方向ＦＳに沿い且つ上記ｍ−１ライン目に対し副走査方向ＳＳに隣接するｍライン目の露光がなされる。以上により、１ページ分の画像に対応する露光動作が完了する。また、これに続く次のページについても、同じ手順にて露光を行う。
【００２７】
ここで、本実施の形態の露光装置２３では、主走査方向１ライン分の露光を開始させるためのライン同期信号に基づいて、発光素子列２３２に対する、列毎の画素データの供給を行っている。したがって、本実施の形態では、各ページの画像データに対応して、それぞれｍ個のライン同期信号が供給されることになる。また、ｍ個のライン同期信号は、予め決められた間隔（ライン周期と呼ぶ）で供給されるようになっている。さらに、本実施の形態では、ｍ個のライン同期信号のそれぞれに対応して、発光素子列２３２を構成するｎ個の発光素Ｅ１〜Ｅｎの点灯を許可する点灯許可期間（画像形成期間に対応）が、一律に定められる。すなわち、あるライン同期信号に基づいて主走査方向光１ライン分の露光を行う際、発光素子Ｅ１〜Ｅｎのうち発光の対象となる発光素子は、同じ時間だけ点灯を行う。
【００２８】
では、上述した露光動作の制御について、より詳細な説明を行う。
図５は、本実施の形態における制御部８０の構成の一例を説明するためのブロック図である。なお、制御部８０は、画像形成装置１０を構成する各部を制御するための機能を有するものであるが、ここでは、露光装置２３の制御に関連する要素を抜き出して示している。
調整手段の一例としての制御部８０は、出力周期算出部８１と、ライン周期設定部８２と、設定用テーブル格納部８３と、書き出し位置設定部８４と、出力設定データ作成部８５と、出力画像データ作成部８６とを含んでいる。
【００２９】
まず、出力周期算出部８１は、連続用紙Ｓにおいて副走査方向ＳＳに隣接する２つのページ（例えばｉ番目のページＰｉおよびｊ番目のページＰｊ）に設けられた各レジストマークＭ（図３参照）を、マーク検出センサ７０が順次検出した結果に基づいて、次の画像形成の対象となるページ（対象ページ：例えばｉ番目のページＰｉ）のレジストマークＭが検出されてからその次のページ（次ページ：例えばｊ番目のページＰｊ）のレジストマークＭが検出されるまでの期間（センサ出力周期Ｔｓ：後述する図７（ａ）参照）を算出する。
【００３０】
また、ライン周期設定部８２は、出力周期算出部８１によって算出された対象ページの出力周期と、設定用テーブル格納部８３から読み出した設定用テーブルとを用いて、対象ページに対応する露光動作におけるｍ個のライン同期信号のライン周期を設定する。なお、設定用テーブル格納部８３に格納される設定用テーブルの内容については後述する。
【００３１】
さらに、書き出し位置設定部８４は、連続用紙Ｓにおける対象ページに設けられたレジストマークＭを、マーク検出センサ７０が検出した結果に基づいて、対象ページに対応する露光動作における書き出し位置（ライン同期信号の開始タイミング）を設定する。
【００３２】
さらにまた、出力設定データ作成部８５は、同一の対象ページについて、ライン周期設定部８２で設定されたライン周期のデータと、書き出し位置設定部８４で設定された書き出し位置のデータとを含むページ毎の出力設定データを作成し、露光装置２３に出力する。
【００３３】
一方、出力画像データ作成部８６は、画像形成装置１０の外部から入力されてくる入力画像データに基づいて、ページ毎の画像データ（図４参照）を作成し、露光装置２３に出力する。
【００３４】
ここで、図６は、図５に示す設定用テーブル格納部８３に格納されている設定用テーブルの一例を示す図である。
本実施の形態の設定用テーブルは、出力周期算出部８１によって算出されるセンサ出力周期Ｔｓの大きさ（長さ）と、ライン周期を伸張する対象となる伸張ライン数と、ライン周期を短縮する対象となる短縮ライン数と、ライン周期を伸張または短縮する対象となる対象ライン位置とを対応付けて構成されている。
【００３５】
図６に示す例では、Ｔｓａ≦Ｔｓ＜Ｔｓｂの場合に、伸張ライン数が「０」、短縮ライン数が「２」、対象ライン位置が「α行目ｘα」および「β行目ｘβ」に設定され、Ｔｓｂ≦Ｔｓ＜Ｔｓｃの場合に、伸張ライン数が「０」、短縮ライン数が「１」、対象ライン位置が「γ行目ｘγ」に設定され、Ｔｓｃ≦Ｔｓ＜Ｔｓｄの場合に、伸張ライン数が「０」、短縮ライン数が「０」、対象ライン位置が「なし」に設定され、Ｔｓｄ≦Ｔｓ＜Ｔｓｅの場合に、伸張ライン数が「１」、短縮ライン数が「０」、対象ライン位置が「γ行目ｘγ」に設定され、Ｔｓｅ≦Ｔｓ＜Ｔｓｆの場合に、伸張ライン数が「２」、短縮ライン数が「０」、対象ライン位置が「α行目ｘα」および「β行目ｘβ」に設定される。ここで、Ｔｓａ＜Ｔｓｂ＜Ｔｓｃ＜Ｔｓｄ＜Ｔｓｅ＜Ｔｓｆである。また、ｘα、ｘβ、ｘγは、それぞれｘ１〜ｘｍの中から選択されるものであって、α≠β≠γである。なお、ここでは詳細な記載を省略しているが、短縮ライン数が３以上となる場合や、伸張ライン数が３以上となる場合もあり得る。
【００３６】
図７は、画像形成動作における連続用紙Ｓの搬送と露光動作との関係を説明するためのタイミングチャートである。ここで、図７（ａ）は、連続用紙Ｓの搬送に伴ってマーク検出センサ７０から出力されるセンサ出力と、連続用紙Ｓに形成された各ページに対応する露光動作を開始させるために露光装置２３が出力するページ同期信号と、各ページのページ同期信号に連動して、各ページ内での露光動作を実行させるために露光装置２３が出力するライン同期信号との、時間的な関係を示している。一方、図７（ｂ）は、図７（ａ）に示すライン同期信号の詳細を示している。
【００３７】
マーク検出センサ７０は、画像形成動作が開始されることによって連続用紙Ｓが予め決められた搬送速度で搬送されることに伴い、連続用紙Ｓの各ページに形成されたレジストマークＭを検出する。この例では、ｉ番目のページＰｉに形成されたレジストマークＭ、ｊ番目のページＰｊに形成されたレジストマークＭ、ｋ番目のページＰｋに形成されたレジストマークＭが、順番に検出されることで、センサ出力がＯＮになる。
【００３８】
制御部８０に設けられた出力周期算出部８１では、ｉ番目のページＰｉに形成されたレジストマークＭの検出タイミングと、ｊ番目のページＰｊに形成されたレジストマークＭの検出タイミングとの差からｉ番目のページＰｉに対応するセンサ出力周期Ｔｓを算出する。次に、ライン周期設定部８２では、ｉ番目のページＰｉに対応するセンサ出力周期Ｔｓと、設定用テーブル格納部８３から読み出した設定用テーブル（図６参照）とに基づき、ｉ番目のページＰｉに対応する伸張ライン数または短縮ライン数、および、伸張ラインあるいは短縮ラインの対象ライン位置を選択し、これらに基づいてｉ番目のページＰｉに対応するｍ個のライン同期信号Ｌｓ１〜Ｌｓｍそれぞれのライン周期Ｔｌを設定する。
一方、書き出し位置設定部８４では、ｉ番目のページＰｉに形成されたレジストマークＭの検出タイミングに基づき、ｉ番目のページＰｉに対応するページ同期信号Ｐｓｉの出力タイミング（書き出し位置）を設定する。
【００３９】
そして、出力設定データ作成部８５は、ライン周期設定部８２で設定された、ｉ番目のページＰｉに対応する各ライン周期Ｔｌの設定情報と、書き出し位置設定部８４で設定された、ｉ番目のページに対応するページ同期信号Ｐｓｉの設定情報とを含む、ｉ番目のページＰｉ用の出力設定データを作成し、露光装置２３に出力する。
【００４０】
他方、制御部８０に設けられた出力画像データ作成部８６は、外部から供給される入力画像データに基づき、ｉ番目のページＰｉを含む各ページの出力画像データを作成し、露光装置２３に出力する。
【００４１】
そして、露光装置２３では、連続用紙Ｓにおけるｉ番目のページＰｉが転写位置Ｔｒを通過する間に、感光体ドラム２１上に形成されたｉ番目のページ用のトナー像が転写位置Ｔｒを通過するように、露光動作を開始する。より具体的に説明すると、露光装置２３では、ｉ番目のページＰｉ用のページ同期信号Ｐｓｉが立ち上がることに伴って、ｉ番目のページＰｉ用のｍ個のライン同期信号Ｌｓ１〜Ｌｓｍが連続して立ち上がる。このとき、隣接する２つのライン同期信号（例えばＬｓ１およびＬｓ２）の間の期間が、ライン周期Ｔｌとなる。なお、１ページ分となるｍ個のライン同期信号Ｌｓ１〜Ｌｓｍの出力に要する期間を、画像周期Ｔｇと呼ぶ。
【００４２】
そして、ｉ番目のページＰｉに対応するｍ個のライン同期信号Ｌｓ１〜Ｌｓｍが立ち上がるたびに、発光素子列２３２を構成するｍ個の発光素子Ｅ１〜Ｅｍには、行毎の画素データが入力される。そして、回転方向Ｂに回転する感光体ドラム２１の表面を１ライン毎に露光することで、感光体ドラム２１上には、主走査方向にｍドット且つ副走査方向にｎドットの、合計ｍ×ｎドットの静電潜像が形成されることになる。
【００４３】
なお、例えばｉ番目のページＰｉに対応する画像周期Ｔｇは、ｉ番目のページＰｉに対応するページ同期信号Ｐｓｉが立ち上がってから、次のｊ番目のページＰｊに対応するページ同期信号Ｐｓｊが立ち上がるまでの期間（ページ周期Ｔｐと呼ぶ）よりも短くなるように設定される。
【００４４】
図８は、露光動作におけるライン同期信号および点灯許可信号と感光体ドラム２１上での露光領域との関係を示す図である。ただし、図８は、対象ページの露光動作において、ｍ個のライン同期信号Ｌｓ１〜Ｌｓｍのうち、先頭側となる第１ライン同期信号Ｌｓ１から第４ライン同期信号Ｌｓ４までを抜き出して示している。
ここで、図８（ａ）は、第１ライン同期信号Ｌｓ１〜第４ライン同期信号Ｌｓ４に対応する１行目ｘ１〜４行目ｘ４において、伸張ラインおよび短縮ラインが設定されなかった場合（Ｔｓｃ≦Ｔｓ＜Ｔｓｄであることにより、伸張ライン数＝短縮ライン数＝０、対象ライン位置＝なし、に設定された場合：図６参照）を例示している。また、図８（ｂ）は、第１ライン同期信号Ｌｓ１〜第４ライン同期信号Ｌｓ４に対応する１行目ｘ１〜４行目ｘ４において、２行目ｘ２が伸張ラインに設定された場合（Ｔｓｄ≦Ｔｓ＜Ｔｓｅであることにより、伸張ライン数＝１、短縮ライン数＝０、対象ライン位置ｘγ＝ｘ２に設定された場合：図６参照）を例示している。さらに、図８（ｃ）は、第１ライン同期信号Ｌｓ１〜第４ライン同期信号Ｌｓ４に対応する１行目ｘ１〜４行目ｘ４において、２行目ｘ２が短縮ラインに設定された場合（Ｔｓｂ≦Ｔｓ＜Ｔｓｃであることにより、伸張ライン数＝０、短縮ライン数＝１、対象ライン位置ｘγ＝ｘ２に設定される場合：図６参照）を例示している。そして、図８（ａ）〜（ｃ）では、１行目ｘ１〜４行目ｘ４において、それぞれすべての発光素子Ｅ１〜Ｅｎが点灯することにより、感光体ドラム２１が露光される状態を例示している。
【００４５】
まず、図８（ａ）に示す例では、伸張ラインおよび短縮ラインが設定されないことにより、第１ライン同期信号Ｌｓ１〜第４ライン同期信号Ｌｓ４が等間隔になる。すなわち、第１ライン同期信号Ｌｓ１〜第４ライン同期信号Ｌｓ４の範囲において、ライン周期Ｔｌが一律に設定される。また、図８（ａ）に示す例では、第１ライン同期信号Ｌｓ１〜第３ライン同期信号Ｌｓ３のそれぞれに対応する点灯許可信号のオン期間も一律に設定される。このため、感光体ドラム２１上の露光領域の副走査方向長さは、１行目ｘ１、２行目ｘ２および３行目ｘ３について、同じ大きさとなる。
【００４６】
また、図８（ｂ）に示す例では、２行目ｘ２が伸張ラインに設定されることにより、第１ライン同期信号Ｌｓ１と第２ライン同期信号Ｌｓ２との間、第３ライン同期信号Ｌｓ３と第４ライン同期信号Ｌｓ４との間は等間隔になるが、第２ライン同期信号Ｌｓ２と第３ライン同期信号Ｌｓ３との間は、これらよりも広い間隔となる。すなわち、第１ライン同期信号Ｌｓ１〜第４ライン同期信号Ｌｓ４の範囲において、ライン周期Ｔｌが一部分だけ長く設定される。また、図８（ｂ）に示す例では、第１ライン同期信号Ｌｓ１および第３ライン同期信号Ｌｓ３のそれぞれに対応する点灯許可信号のオン期間が同じに設定される一方、第２ライン同期信号Ｌｓ２に対応する点灯許可信号のオン期間は、これらよりも長くなる。このため、感光体ドラム２１上の露光領域の副走査方向長さは、１行目ｘ１および３行目ｘ３については同じ大きさとなるが、２行目ｘ２についてはこれらよりも長くなる。
【００４７】
さらに、図８（ｃ）に示す例では、２行目ｘ２が短縮ラインに設定されることにより、第１ライン同期信号Ｌｓ１と第２ライン同期信号Ｌｓ２との間、第３ライン同期信号Ｌｓ３と第４ライン同期信号Ｌｓ４との間は等間隔になるが、第２ライン同期信号Ｌｓ２と第３ライン同期信号Ｌｓ３との間は、これらよりも狭い間隔となる。すなわち、第１ライン同期信号Ｌｓ１〜第４ライン同期信号Ｌｓ４の範囲において、ライン周期Ｔｌが一部分だけ短く設定される。また、図８（ｃ）に示す例では、第１ライン同期信号Ｌｓ１および第３ライン同期信号Ｌｓ３のそれぞれに対応する点灯許可信号のオン期間が同じに設定される一方、第２ライン同期信号Ｌｓ２に対応する点灯許可信号のオン期間は、これらよりも短くなる。このため、感光体ドラム２１上の露光領域の副走査方向長さは、１行目ｘ１および３行目ｘ３については同じ大きさとなるが、２行目ｘ２についてはこれらよりも短くなる。
【００４８】
図９は、画像形成動作に伴って感光体ドラム２１上に形成される画像の副走査方向長さを説明するための図である。なお、図９は、説明を簡略化するために、ｍ＝２０の場合を例示している。また、図９（ａ）は図８（ａ）に、図９（ｂ）は図８（ｂ）に、図９（ｃ）は図８（ｃ）に、それぞれ対応している。すなわち、図９（ａ）は、１行目ｘ１〜２０行目ｘ２０において、伸張ラインおよび短縮ラインが設定されなかった場合を例示している。また、図８（ｂ）は、１行目ｘ１〜２０行目ｘ２０において、２行目ｘ２が伸張ラインに設定された場合を例示している。さらに、図９（ｃ）は、１行目ｘ１〜２０行目ｘ２０において、２行目ｘ２が短縮ラインに設定された場合を例示している。
【００４９】
まず、図９（ａ）に示す例では、１行目ｘ１〜２０行目ｘ２０のそれぞれの副走査方向長さが等間隔になる。このとき、感光体ドラム２１上での画像の長さを、第１画像長Ｌｇ１と呼ぶ。
また、図９（ｂ）に示す例では、１行目ｘ１、３行目ｘ３〜２０行目ｘ２０のそれぞれの副走査方向長さが等間隔となる一方、２行目ｘ２の副走査方向長さはこれらよりも長くなる。したがって、感光体ドラム２１上での画像の長さは、上記第１画像長Ｌｇ１よりも長い第２画像長Ｌｇ２となる。
さらに、図９（ｃ）に示す例では、１行目ｘ１、３行目ｘ３〜２０行目ｘ２０のそれぞれの副走査方向長さが等間隔となる一方、２行目ｘ２の副走査方向長さはこれらよりも短くなる。したがって、感光体ドラム２１上での画像の長さは、上記第１画像長Ｌｇ１よりも短い第３画像長Ｌｇ３となる。
【００５０】
本実施の形態の画像形成装置１０では、連続用紙Ｓに形成される複数のレジストマークＭの位置がずれていたり、連続用紙Ｓの搬送速度に若干の変動が生じたりすることがあり得る。このため、感光体ドラム２１上に形成される画像の副走査方向長さを、複数のページに対して同じ長さに設定した場合、連続用紙Ｓに形成された各ページに転写される画像が、各ページに対して、副走査方向ＳＳに沿って伸びてしまったり、あるいは、縮んでしまったりする懸念がある。
【００５１】
これに対し、本実施の形態では、上述した手順にて、連続用紙Ｓの各ページに形成する画像の副走査方向長さを調節するようにしたので、例えば副走査方向長さが短めとなるページに対しては、転写する画像の副走査方向長さを短くすることが可能となり、例えば副走査方向長さが長めとなるページに対しては、転写する画像の副走査方向長さを長くすることが可能となる。したがって、連続用紙Ｓにおいて予め各ページに形成されているフォームと、連続用紙Ｓに転写される画像との整合性を高めることが可能になる。
【００５２】
特に、本実施の形態では、各ページに対応する画像データの副走査方向ライン数（行数）を各ページで共通（ｍ行）とし、特定の行に対する露光期間（ライン周期）を伸張あるいは短縮することで、画像の副走査方向長さを調整するようにした。このため、例えば各ページに対応する画像データの副走査方向ライン数（行数）をページ毎に増減させることで、画像の副走査方向長さを調整する場合と比較して、画像データの削除に伴う画像の欠落や画像の間延び等の発生を抑制することができる。
【００５３】
ここで、本実施の形態では、ライン周期を伸張したラインについては各発光素子の点灯許可期間を長くし、ライン周期を短縮したラインについては各発光素子の点灯許可期間を短くするようにしたので、転写される画像においてライン周期が変更されたラインを目立たせにくくすることができる。
【００５４】
なお、ここでは、伸張ライン数あるいは短縮ライン数（対象ライン数）が１となる場合について説明を行ったが、図６等からも明らかなように、対象ライン数が２以上となる場合もある。このように対象ライン数が２以上となる場合、その対象ラインの位置については、周期的に存在しないように（周期性を有しないように）することが望ましい。この理由は、副走査方向において周期的に伸張ラインあるいは短縮ラインに対応する画像が形成された場合、その位置が目立ちやすくなるためである。
【００５５】
＜実施の形態２＞
本実施の形態は、実施の形態１と基本的に同じであるが、実施の形態１では、対象ページのライン周期Ｔｌに基づいて、伸縮あるいは短縮の対象となる対象ライン数と対象ライン位置とを一義的に決めていたのに対し、本実施の形態では、対象ページのライン周期に基づいて対象ライン数を決めた後、対象ページの画像データに基づいて対象ライン位置を決めるようにしたものである。なお、本実施の形態において、実施の形態１と同様のものについては、同じ符号を付してその詳細な説明を省略する。
【００５６】
図１０は、本実施の形態における制御部８０の構成の一例を説明するためのブロック図である。なお、図１０は、図５と同じく、露光装置２３の制御に関連する要素を抜き出して示している。
この制御部８０の構成は、ほぼ実施の形態１と同じであるが、ライン周期設定部８２が、伸縮ライン数設定部８２ａおよび伸縮ライン位置設定部８２ｂを備えている点で、実施の形態１とは異なっている。
【００５７】
ここで、ライン周期設定部８２を構成する伸縮ライン数設定部８２ａは、出力周期算出部８１によって算出された対象ページの出力周期と、設定用テーブル格納部８３から読み出した設定用テーブルとを用いて、対象ページを構成するｍ行のラインのうち、伸張あるいは短縮の対象となるラインの数を設定する。なお、設定用テーブル格納部８３に格納される設定用テーブルの内容については後述する。
【００５８】
また、ライン周期設定部８２を構成する伸縮ライン位置設定部８２ｂは、伸縮ライン数設定部８２ａによって設定された対象ページの対象ライン数と、出力画像データ作成部８６によって作成される対象ページの画像データとに基づいて、対象ページを構成するｍ行のラインのうち、伸縮あるいは短縮の対象となるラインの位置を設定する。
【００５９】
そして、本実施の形態のライン周期設定部８２では、伸縮ライン数設定部８２ａで設定された対象ライン数と、伸縮ライン位置設定部８２ｂで設定された対象ライン位置とに基づいて、対象ページに対応する露光動作におけるｍ個のライン同期信号のライン周期を設定する。
【００６０】
ここで、図１１は、図１０に示す設定用格納テーブルに格納されている設定用テーブルの一例を示す図である。
本実施の形態の設定用テーブルは、出力周期算出部８１によって算出されるセンサ出力周期Ｔｓの大きさ（長さ）と、ライン周期を伸張する対象となる伸張ライン数と、ライン周期を短縮する対象となる短縮ライン数とを対応付けて構成されている。
図１１に示す例では、Ｔｓａ≦Ｔｓ＜Ｔｓｂの場合に、伸張ライン数が「０」、短縮ライン数が「２」に設定され、Ｔｓｂ≦Ｔｓ＜Ｔｓｃの場合に、伸張ライン数が「０」、短縮ライン数が「１」に設定され、Ｔｓｃ≦Ｔｓ＜Ｔｓｄの場合に、伸張ライン数が「０」、短縮ライン数が「０」に設定され、Ｔｓｄ≦Ｔｓ＜Ｔｓｅの場合に、伸張ライン数が「１」、短縮ライン数が「０」に設定され、Ｔｓｅ≦Ｔｓ＜Ｔｓｆの場合に、伸張ライン数が「２」、短縮ライン数が「０」に設定される。
【００６１】
図１２は、ある対象ページにおける出力画像データの一例を示す図である。なお、図１２は、説明を簡略化するために、ｍ＝２０且つｎ＝１５の場合を例としている。また、図１２は、上段にテキスト「Ａ１」を形成し、中段にテキスト「ｚｏ」を形成するための出力画像データを例示している。
【００６２】
図１２に示す例では、１行目ｘ１〜８行目ｘ８、および、１２行目ｘ１２〜１５行目ｘ１５に、少なくとも１つの発光素子を点灯させるための画素データ（斜線で塗りつぶしたところ）が存在する。逆に見れば、図１２に示す例では、９行目ｘ９〜１１行目ｘ１１、および、１６行目ｘ１６〜２０行目ｘ２０には、発光素子を点灯させるための画素データが存在しないことになる。
【００６３】
本実施の形態では、伸縮ライン数設定部８２ａが、対象ページにおけるセンサ出力周期Ｔｓと設定用テーブル格納部８３から読み出した設定用テーブル（図１１参照）とを用いて、伸縮ライン数を決定した後、伸縮ライン位置設定部８２ｂが、例えば図１２に示す対象ページの出力画像データを参照しつつ、伸縮ライン数のそれぞれに対応する伸縮ライン位置を決定する。このとき、伸縮ライン位置設定部８２ｂは、ラインの伸縮を行っても、得られる画像に影響を与えにくい位置を、伸縮ライン位置として決定する。図１２に示す例では、伸縮ライン位置設定部８２ｂは、点灯させるための画素データが存在しないライン（９行目ｘ９〜１１行目ｘ１１、および、１６行目ｘ１６〜２０行目ｘ２０）から、ライン周期の伸縮対象となるラインを決定する。
【００６４】
したがって、本実施の形態では、ライン周期の伸縮対象となるラインを、形成される画像に影響を与えないラインから選択するようにしたので、実施の形態１で説明した利点に加え、転写される画像においてライン周期が変更されたラインをさらに目立たせにくくすることができる。
【００６５】
なお、ここでは、発光素子を点灯させるための画素データが全く存在しないラインを、ライン周期の伸縮対象ラインとして選択していたが、これに限られるものではない。すなわち、発光素子を点灯させるための画素データがすべての列（１列目ｙ１〜ｎ列目ｙｎ）に存在するラインを、ライン周期の伸縮対象ラインとして選択してもよい。
【００６６】
また、ここでは、発光素子を点灯させるための画素データが全く存在しないラインを、ライン周期の伸縮対象ラインとして選択していたが、これに限られるものではない。すなわち、例えばすべてのラインに発光素子を点灯させるための画素データが存在する場合には、発光素子を点灯させるための画素データの数が少ないラインを、ライン周期の伸縮対象ラインとして選択するようにしてもよい。
【００６７】
なお、実施の形態１、２では、対象ページに対応するｍ個のライン同期信号のうち、特定のライン同期信号のライン周期のみを調整するようにしていたが、これに限られるものではない。すなわち、対象ページに対応するｍ個のライン同期信号のすべてについて、ライン周期を伸張あるいは短縮するようにしてもよい。
【００６８】
また、実施の形態１、２では、所謂電子写真方式を採用した画像形成部２０を用いて、連続用紙Ｓに画像を形成するようにしていたが、これに限られるものではない。例えば主走査方向に並べて配置されたインク吐出口を有するインクジェットヘッドを用いて連続用紙Ｓに画像を形成する場合に適用してもよい。
【符号の説明】
【００６９】
１０…画像形成装置、２０…画像形成部、２１…感光体ドラム、２２…帯電装置、２３…露光装置、２４…現像装置、２５…転写装置、２６…クリーナ、３０…定着部、４０…搬送部、５０…送り出し部、６０…供給部、７０…マーク検出センサ、８０…制御部、２３０…発光ユニット、２３１…基板、２３２…発光素子列、Ｅ１〜Ｅｎ…発光素子、Ｓ…連続用紙、Ｍ…レジストマーク
【図１】
2013080051.tif 000003
【図２】
2013080051.tif 000004
【図３】
2013080051.tif 000005
【図４】
2013080051.tif 000006
【図５】
2013080051.tif 000007
【図６】
2013080051.tif 000008
【図７】
2013080051.tif 000009
【図８】
2013080051.tif 000010
【図９】
2013080051.tif 000011
【図１０】
2013080051.tif 000012
【図１１】
2013080051.tif 000013
【図１２】
2013080051.tif 000014